(57)【要約】【課題】光信号と直流電力を１本の配線で伝送することで省配線を図った光配線システム及び光電統合ケーブルを提供する。【解決手段】光コンセント３は、光ファイバ及び直流電源の給電線が一体的に設けられた光電統合ケーブルを介して光通信機器が接続されるコンセント口３１を備え、このコンセント口３１には、光電統合ケーブルの光ファイバが接続される光ファイバ接続部３２と、光電統合ケーブルの給電線が接続される電源接続部３３とが設けられている。光ハブ２１には光ファイバケーブルＬ４を介して光ルータ２２が接続されるとともに、光電統合ケーブルＬ１を介して複数の光コンセント３が接続され、光ルータ２２と光コンセント３との間で光信号を中継する。協調制御部１４は光ハブ２１を介して光電統合ケーブルＬ１に直流電力を供給することで、各光コンセント３の電源接続部３３に直流電力を供給する。【選択図】図１
2010078752.tif 000002
【特許請求の範囲】
【請求項１】
建物内に配設され、光通信網から建物内に導入される光ファイバケーブルを介して光信号が伝送されるとともに、光ファイバ及び直流電源の給電線が一体的に設けられた光電統合ケーブルを介して光通信機器が接続される光コンセントと、直流電源から直流電源線を介して供給される直流電力を前記光コンセントに供給するＤＣ電力重畳部とを備え、
前記光コンセントは、前記光電統合ケーブルが接続されるコンセント口を備え、当該コンセント口には、前記光電統合ケーブルの光ファイバが光学的に接続される光ファイバ接続部と、前記ＤＣ電力重畳部からの直流電力が供給されるとともに前記光電統合ケーブルの給電線が電気的に接続される電源接続部とが共に設けられたことを特徴とする光配線システム。
【請求項２】
光通信網から建物内に導入された光ファイバケーブルが接続されるとともに、前記光コンセントが光電統合ケーブルを介して接続され、光通信網と光コンセントの間で光信号を中継する光中継装置を備え、前記ＤＣ電力重畳部から光中継装置に直流電力が供給され、光中継装置に供給された直流電力が光電統合ケーブルを介して光コンセントの電源接続部に供給されることを特徴とする請求項１記載の光配線システム。
【請求項３】
前記光コンセントの電源接続部に、前記ＤＣ電力重畳部から直流電力が直接供給されたことを特徴とする請求項１記載の光配線システム。
【請求項４】
前記直流電源が、商用交流電源から供給される交流電力を直流電力に変換するＡＣ／ＤＣ変換部と、商用交流電源の停電時に直流電力を供給するバックアップ電源とを備えたことを特徴とする請求項１乃至３の何れか１つに記載の光配線システム。
【請求項５】
請求項１乃至４の何れか１つに記載された光配線システムに用いられ、光信号を伝送する光ファイバと、光ファイバの外周を覆う絶縁部と、当該絶縁部内に前記光ファイバと並行して配置されて、前記直流電力が供給される給電線とを備えたことを特徴とする光電統合ケーブル。
【発明の詳細な説明】
【技術分野】
【０００１】
本発明は、光配線システム及び光電統合ケーブルに関するものである。
【背景技術】
【０００２】
従来、建物の壁のような造営材に埋込配設され、造営材の裏側に先行配線された光ファイバケーブルが接続されるとともに、造営材の表側から他の光ファイバケーブルが着脱自在に接続されて、光ファイバケーブル同士を光学的に接続する光ファイバコンセントが提供されており（例えば特許文献１参照）、このような光ファイバコンセントを用いて建物内に光ファイバケーブルを配線していた。
【特許文献１】特開２００６−３４６７号公報
【発明の開示】
【発明が解決しようとする課題】
【０００３】
上述の光配線システムでは、例えば光モデムのような通信機器からの光ファイバケーブルが光コンセントに接続されるとともに、この通信機器の電源ケーブルが、光コンセントとは別に設けた電源コンセントに接続されるので、通信機器には光信号を授受するためのプラグと、電源供給を受けるためのプラグを備える必要があり、２つのプラグを別々のコンセントに接続しなければならないから、配線の手間がかかるとともに、配線をまとまり良く施工することができず配線が邪魔になるという問題があった。
【０００４】
本発明は上記問題点に鑑みて為されたものであり、その目的とするところは、光信号と直流電力を１本の配線で伝送することで省配線を図った光配線システム及び光電統合ケーブルを提供することにある。
【課題を解決するための手段】
【０００５】
上記目的を達成するために、請求項１の発明は、建物内に配設され、光通信網から建物内に導入される光ファイバケーブルを介して光信号が伝送されるとともに、光ファイバ及び直流電源の給電線が一体的に設けられた光電統合ケーブルを介して光通信機器が接続される光コンセントと、直流電源から直流電源線を介して供給される直流電力を光コンセントに供給するＤＣ電力重畳部とを備え、光コンセントは、光電統合ケーブルが接続されるコンセント口を備え、当該コンセント口には、光電統合ケーブルの光ファイバが光学的に接続される光ファイバ接続部と、ＤＣ電力重畳部からの直流電力が供給されるとともに光電統合ケーブルの給電線が電気的に接続される電源接続部とが共に設けられたことを特徴とする。
【０００６】
請求項２の発明は、請求項１の発明において、光通信網から建物内に導入された光ファイバケーブルが接続されるとともに、光コンセントが光電統合ケーブルを介して接続され、光通信網と光コンセントの間で光信号を中継する光中継装置を備え、ＤＣ電力重畳部から光中継装置に直流電力が供給され、光中継装置に供給された直流電力が光電統合ケーブルを介して光コンセントの電源接続部に供給されることを特徴とする。
【０００７】
請求項３の発明は、請求項１の発明において、光コンセントの電源接続部に、ＤＣ電力重畳部から直流電力が直接供給されたことを特徴とする。
【０００８】
請求項４の発明は、請求項１乃至３の何れか１つの発明において、直流電源が、商用交流電源から供給される交流電力を直流電力に変換するＡＣ／ＤＣ変換部と、商用交流電源の停電時に直流電力を供給するバックアップ電源とを備えたことを特徴とする。
【０００９】
請求項５の発明は、請求項１乃至４の何れか１つに記載された光配線システムに用いられる光電統合ケーブルであって、光信号を伝送する光ファイバと、光ファイバの外周を覆う絶縁部と、当該絶縁部内に光ファイバと並行して配置されて、直流電力が供給される給電線とを備えた備えたことを特徴とする。
【発明の効果】
【００１０】
請求項１の発明によれば、光コンセントが備えるコンセント口に光通信機器からの光電統合ケーブルを接続すると、光電統合ケーブルの光ファイバがコンセント口の光ファイバ接続部に光学的に接続され、且つ、光電統合ケーブルの給電線がコンセント口の電源接続部に接続されるので、１本の光電統合ケーブルをコンセント口に接続するだけで、光通信機器と光通信網との間で光信号の授受が行えるとともに、光通信機器に直流電力が供給されるから、光信号用と電源用の２本の配線を用いて光通信機器をコンセントに接続する場合に比べて配線数を少なくできる。したがって、配線の手間を少なくできるとともに、配線スペースを小さくでき、配線が邪魔になるのを防止することができる。
【００１１】
請求項２の発明によれば、光中継装置に直流電力を供給することで、複数の光コンセントに一括して直流電力を供給することができる。
【００１２】
請求項３の発明によれば、直流電力を重畳させる必要がある光コンセントのみにＤＣ電力重畳部から直流電力を重畳させることができる。
【００１３】
請求項４の発明によれば、商用交流電源の通電中はＡＣ／ＤＣコンバータから直流電源が供給されるとともに、商用交流電源の停電時にはバックアップ電源から直流電源が供給されるので、停電中も光コンセントから直流電力を供給して、この光コンセントに接続された光通信機器を動作させることができる。
【００１４】
請求項５の発明によれば、１本のケーブルで光信号の伝送と直流電力の給電を両方共に行うことができ、配線数の削減が可能な光電統合ケーブルを実現することができる。
【発明を実施するための最良の形態】
【００１５】
以下に本発明の実施の形態を図面に基づいて説明する。
【００１６】
（実施形態１）
本発明の実施形態１を図１〜図７に基づいて説明する。図１（ａ）は本実施形態の光配線システムのシステム構成図であり、この光配線システムが施工される住宅には、電力系の配線を分岐配線するための分電盤１と、光電統合ケーブルＬ１を分岐配線するための情報用分電盤２が設置されるとともに、宅内の複数箇所には光モデムなどの光通信機器が接続される光コンセント３が設置されている。ここにおいて、光電統合ケーブルＬ１とは光ファイバ及び直流電源の給電線が一体的に設けられたケーブルであり、図４に示すように、コア及びコアの外周を覆うグリッドからなる光ファイバ４１と、光ファイバ４１の外周を覆う一次シース４２と、絶縁材料からなり一次シース４１の外周を覆う筒状の絶縁部４３と、絶縁部４３内に配置された一対の導体４４ａ，４４ｂからなる給電線４４と、絶縁部４３の外周を覆う二次シース（外被）４５とで構成される。
【００１７】
分電盤１の内部には、商用交流電源ＡＣが一次側に接続される主幹ブレーカ１１と、主幹ブレーカ１１の二次側に接続される複数台の分岐ブレーカ１２ａ，１２ｂと、分岐ブレーカ１２ｂを介して入力された交流電源を直流に変換するＡＣ／ＤＣコンバータ１３と、ＡＣ／ＤＣコンバータ１３の出力と太陽電池１５、二次電池１６及び燃料電池１７からの出力との協調をとって後述の光コンセント３に直流電力を供給する協調制御部１４（ＤＣブレーカ）とが収納されている。
【００１８】
また住宅内には、外部の光通信網と宅内の光ネットワークとの間に設けられて通信の経路制御を行う光ルータ２２が設けられるとともに、情報用分電盤２の内部には光ルータ２２からの光ファイバーケーブルＬ４と、複数の光コンセント３からの光電統合ケーブルＬ１が接続されて複数の光コンセント３及び光ルータ２２の間で光信号を中継する光ハブ２１（光中継装置）が収納されている。また光ハブ２１には、ＤＣ電力重畳部としての協調制御部１４から直流電源線Ｌ２を介して直流電力が供給されており、光コンセント３からの光電統合ケーブルＬ１が備える給電線４４に対して、協調制御部１４から供給された直流電力を重畳させている。尚、光ハブ２１及び光ルータ２２は、分岐ブレーカ１２ａを介して供給される交流電源から動作電源を得ているが、光ハブ２１が光電統合ケーブルＬ１に重畳された直流電源から動作電源を得るようにしてもよい。
【００１９】
光コンセント３は、図１（ｂ）及び図２に示すように、ハブ２１からの光電統合ケーブルＬ１が接続されるコネクタ部３０と、光通信機器からの光電統合ケーブルＬ３に設けた光電プラグ５０（図３（ａ）（ｂ）参照）が着脱自在に接続されるコンセント口３１とを備えている。尚、光電統合ケーブルＬ３は上述した光電統合ケーブルＬ１と同じ構成を有しているので、その説明は省略する。また光電プラグ５０は、図３（ａ）（ｂ）に示すように略直方体状に形成された把持部５１を備え、把持部５１の前面中央には光電統合ケーブルＬ３の光ファイバ４１を保持したフェルール５２が配置されるとともに、フェルール５２を間にして左右両側には光電統合ケーブルＬ３の導体４４ａ，４４ｂにそれぞれ電気的に接続された電源端子５３，５３が配置されている。
【００２０】
一方、光コンセント３が備えるコンセント口３１は、光電プラグ５０のフェルール５２に保持された光ファイバ４１が光学的に接続される光ファイバ接続部３２と、光電プラグ５０の電源端子５３，５３が電気的に接続される電源接続部３３とを備える。そして光ファイバ接続部３２は、コネクタ部３０に接続される光電統合ケーブルＬ１の光ファイバ４１に一端側が光学的に接続された光ファイバと、この光ファイバを保持するフェルールと、当該フェルールを光電プラグ５０のフェルール５２と整列させた状態でＰＣ（Physical Contact）接続させるスリーブとを少なくとも備えている。また電源接続部３３は、光電プラグ５０の電源端子５３，５３にそれぞれ電気的に接続される接触端子３３ａ，３３ｂを備えている。
【００２１】
而して、光コンセント３が備えるコンセント口３１に、光通信機器（図示せず）からの光電統合ケーブルＬ３に設けた光電プラグ５０を接続すると、光電プラグ５０のフェルール５２に保持された光ファイバ４１がコンセント口３１の光ファイバ接続部３２に光学的に接続され、光コンセント３を介して光電統合ケーブルＬ１の光ファイバ４１に光学的に接続されるので、光コンセント３に接続される光通信機器と光ハブ２１との間で光信号の伝送が可能になる。またこの時、光電プラグ５０の電源端子５３，５３が光電統合ケーブルＬ１の導体４４ａ，４４ｂに電気的に接続され、コンセント口３１の電源接続部３３に接続されるので、光ハブ２１から光通信機器に対して直流電力の供給が可能になる。したがって、光通信機器から１本の光電統合ケーブルＬ１を光コンセント３のコンセント口３１に接続するだけで、光通信機器と光通信網との間で光信号の授受が行えるとともに、光通信機器に直流電力が供給されるから、光信号用と電源用の２本の配線を用いて光通信機器をコンセントにそれぞれ接続する場合に比べて配線数を少なくして、省配線を図ることができる。また本実施形態では、協調制御部１４から光ハブ２１に直流電力を重畳しているので、光ハブ２１に光電統合ケーブルＬ１を介して接続される複数の光コンセント３に一括して直流電力を重畳させることができ、複数の光コンセント３に直流電力を直接重畳させる場合に比べて直流電源線Ｌ１の配線長を短くできる。
【００２２】
なお、図２に示す光コンセント３ではコンセント本体の前面にコンセント口３１が露設されているが、図５（ａ）（ｂ）に示すように、コンセント口３１が内部に収納される位置とコンセント口３１が外部に露出される位置とを選択自在としてもよい。図５に示す光コンセント３では、大角形連用配線器具の取付枠７０を用いて造営面に埋込配設されるコンセント本体６０を備え、このコンセント本体６０の前面に設けた開口内に、下面にコンセント口３１が設けられたカバー６１を配置してある。カバー６１の上端部には左右両側に軸部６３，６３が設けられるとともに、コンセント本体６０の開口周縁には軸部６３，６３の間に配置される軸部６２が設けられ、各軸部６２，６３に設けた軸孔に軸６６を挿通することによって、カバー６１が上端部の軸部６２，６３を中心に回動自在となっている。而して、カバー６１の下側部を押して、カバー６１の下側部が後方に移動するようカバー６１を回転させると、カバー６１の下側縁に設けたロック爪６５が、コンセント本体６０に設けた引掛係止部（図示せず）と係止することによって、カバー６１の下面に設けたコンセント口３１が内側に収納された状態でカバー６１が保持される。一方、カバー６１が閉じた状態でコンセント本体６０の下側部に設けた開操作部６４が押操作されると、カバー６１のロック爪６５と引掛係止部との係止が外れ、カバー６１が図示しない付勢ばねの付勢力を受けて前方に回動し、カバー６１の下面に設けたコンセント口３１が外部に露出するので、コンセント口３１に対して光電プラグ５０を接続することが可能になる。
【００２３】
また本実施形態では、光通信網と光コンセント３の間で光信号を中継する光中継装置として光ハブ２１を用い、光ハブ２１に直流電力を重畳させているが、図６に示すように光信号を光学的に分配する光分岐器２３を用いてもよい。この場合は、協調制御部１４から直流電源線Ｌ２を介して光分岐器２３に直流電力が重畳され、光分岐器２３に光電統合ケーブルＬ１を介して接続される複数の光コンセント３に光電統合ケーブルＬ１を介して直流電力が供給される。
【００２４】
また本実施形態では、光コンセント３に、光ファイバ接続部３２と電源接続部３３とを備えたコンセント口３１を設けてあり、光電統合ケーブルＬ３に設けた光電プラグ５０をコンセント口３１に接続するだけで、光信号と電源の両方を接続できるようになっているが、図７に示す光コンセント３’は、光プラグが接続される光ファイバ接続部３２と、ＩＥＣ規格（ＣＥＩ／ＩＥＣ  ９０６−３）に準拠したソケットを有する電源接続部３３とを別々に設けたコンセントの例であり、図示する光コンセント３’では信号用と電源用の２本の電線を介して光通信機器が接続されるため、既存の光通信機器でも接続が可能である。
【００２５】
（実施形態２）
本発明の実施形態２を図８に基づいて説明する。上述の実施形態１では、協調制御部１４から光ハブ２１に直流電力を供給し、光ハブ２１から光電統合ケーブルＬ１を介して光コンセント３に直流電力を重畳させているのに対して、本実施形態では、図８に示すように、情報分電盤２の内部に光ハブ２１と光コンセント３との間で光信号を中継する中継端子台２４を収納してあり、この中継端子台２４に協調制御部１４から直流電力を供給することによって、中継端子台２４に接続される光電統合ケーブルＬ１を介して光コンセント３に直流電力を供給している。尚、中継端子台２４以外の構成は実施形態１と同様であるので、共通する構成要素には同一の符号を付して、その説明は省略する。
【００２６】
本実施形態では、協調制御部１４から中継端子台２４（光中継装置）に直流電力を供給し、この中継端子台２４から、光電統合ケーブルＬ１を介して光コンセント３に直流電力を供給している。而して、光コンセント３が備えるコンセント口３１に、光通信機器（図示せず）からの光電統合ケーブルＬ３に設けた光電プラグ５０を接続すると、光電プラグ５０のフェルール５２に保持された光ファイバ４１がコンセント口３１の光ファイバ接続部３２に光学的に接続され、光コンセント３を介して光電統合ケーブルＬ１の光ファイバ４１に光学的に接続されるので、光ハブ２１と光通信機器との間で中継端子台２４を介して光信号の伝送が可能になる。またこの時、光電プラグ５０の電源端子５３，５３が光電統合ケーブルＬ１の導体４４ａ，４４ｂに電気的に接続され、コンセント口３１の電源接続部３３に接続されるので、中継端子台２４から光通信機器に対して直流電力の供給が可能になる。したがって、光通信機器から１本の光電統合ケーブルＬ１を光コンセント３のコンセント口３１に接続するだけで、光通信機器と光通信網との間で光信号の授受が行えるとともに、光通信機器に直流電力が供給されるから、光信号用と電源用の２本の配線を用いて光通信機器をコンセントにそれぞれ接続する場合に比べて配線数を少なくして、省配線を図ることができる。また本実施形態では、協調制御部１４から中継端子台２４に直流電力を重畳しているので、中継端子台２４に光電統合ケーブルＬ１を介して接続される複数の光コンセント３に一括して直流電力を重畳させることができ、複数の光コンセント３に直流電力を直接重畳させる場合に比べて直流電源線Ｌ１の配線長を短くできる。また更に直流給電に対応していない既設の建物においても光ハブ２１と光コンセント３との間に中継端子台２４を追加し、中継端子台２４と光コンセント３の間を光電統合ケーブルＬ１で接続することで、光コンセント３への直流給電が可能になるから、光ハブ２１を直流給電が可能なものに交換する場合に比べて、低コストで直流給電が可能な光配線システムを実現できる。
【００２７】
なお、本実施形態では図１に示す光配線システムにおいて、光ハブ２１と光コンセント３の間に中継端子台２４を設けて、この中継端子台２４に直流電力を供給しているが、図６に示す光配線システムにおいて、光分岐器２３と光コンセント３の間に中継端子台２４を設けて、この中継端子台２４に直流電力を供給してもよい。
【００２８】
（実施形態３）
本発明の実施形態３を図９に基づいて説明する。上述の実施形態１では、協調制御部１４から光ハブ２１に直流電力を供給し、光ハブ２１から光電統合ケーブルＬ１を介して光コンセント３に直流電力を重畳させているのに対して、本実施形態では、図９（ａ）に示すように、協調制御部１４から個々の光コンセント３に直流電力を直接重畳させている。尚、光コンセント３以外の構成は実施形態１と同様であるので、共通する構成要素には同一の符号を付して、その説明は省略する。
【００２９】
光コンセント３は、図９（ｂ）に示すように協調制御部１４からの直流電源線Ｌ２が接続される接続端子３０ａと、光ハブ２１からの光ファイバケーブルＬ５が接続される接続端子３０ｂを別々に備えており、電源接続部３３には協調制御部１４から直流電源線Ｌ２を介して直流電力が供給されるとともに、光ファイバ接続部３２は光ファイバケーブルＬ５を介して光ハブ２１に光学的に接続されている。
【００３０】
而して、光コンセント３が備えるコンセント口３１に、光通信機器（図示せず）からの光電統合ケーブルＬ３に設けた光電プラグ５０を接続すると、光電プラグ５０のフェルール５２に保持された光ファイバ４１がコンセント口３１の光ファイバ接続部３２に光学的に接続され、光コンセント３を介して光電統合ケーブルＬ１の光ファイバ４１に光学的に接続されるので、光ハブ２１と光通信機器との間で光信号の伝送が可能になる。またこの時、光電プラグ５０の電源端子５３，５３が光電統合ケーブルＬ１の導体４４ａ，４４ｂに電気的に接続され、コンセント口３１の電源接続部３３に接続されるので、光ハブ２１から光通信機器に対して直流電力の供給が可能になる。したがって、光通信機器から１本の光電統合ケーブルＬ１を光コンセント３のコンセント口３１に接続するだけで、光通信機器と光通信網との間で光信号の授受が行えるとともに、光通信機器に直流電力が供給されるから、光信号用と電源用の２本の配線を用いて光通信機器をコンセントにそれぞれ接続する場合に比べて配線数を少なくして、省配線を図ることができる。また本実施形態では、協調制御部１４から個々の光コンセント３に直流電力を直接重畳しているので、直流電源の供給が必要な光コンセント３のみに直流電源を重畳させることができる。
【００３１】
なお、本実施形態では図１に示す光配線システムにおいて、個々の光コンセント３に協調制御部１４から直流電力を重畳させているが、図６に示す光配線システムにおいて、個々の光コンセント３に協調制御部１４から直流電力を重畳させるようにしてもよい。
【図面の簡単な説明】
【００３２】
【図１】実施形態１の光配線システムを示し、（ａ）は全体構成を示すシステム構成図、（ｂ）は光コンセントの内部ブロック図である。
【図２】同上を構成する光コンセントの正面図である。
【図３】同上を構成する光コンセントに接続される光電プラグを示し、（ａ）は正面図、（ｂ）は側面図である。
【図４】同上に用いる光電統合ケーブルの断面図である。
【図５】同上を構成する光コンセントの他例を示し、（ａ）は正面図、（ｂ）はカバーの開状態を示す斜視図である。
【図６】同上の光配線システムの他例を示す要部のシステム構成図である。
【図７】同上を構成する光コンセントの更に別の例を示す正面図である。
【図８】実施形態２の光配線システムを示すシステム構成図である。
【図９】実施形態３の光配線システムを示し、（ａ）は全体構成を示すシステム構成図、（ｂ）は光コンセントの内部ブロック図である。
【符号の説明】
【００３３】
３  光コンセント
１４  協調制御部（ＤＣ電力重畳部）
２１  光ハブ
２２  光ルータ
３１  コンセント口
３２  光ファイバ接続部
３３  電源接続部
Ｌ１  光電統合ケーブル
Ｌ２  直流電源線
Ｌ４  光ファイバケーブル
【図１】
2010078752.tif 000003
【図２】
2010078752.tif 000004
【図３】
2010078752.tif 000005
【図４】
2010078752.tif 000006
【図５】
2010078752.tif 000007
【図６】
2010078752.tif 000008
【図７】
2010078752.tif 000009
【図８】
2010078752.tif 000010
【図９】
2010078752.tif 000011